(57)【要約】【課題】立木にＲＦパワーコイルまたは同波路を巻き、このコイルまたは同波路にＲＦパワー又はマイクロ波パワーを掛け、ＲＦパワー乃至はマイクロ波の掛かっている木質表面、及び皮下の樹木活性層を焼き樹木を枯らすことによって行う高効率間伐機を提供する。【解決手段】立木にＲＦパワーコイルまたは同波路を巻き、このコイルまたは同波路にＲＦ又はマイクロ波パワーを掛け、コイルまたは同波路の当たっている部分で立木を焼き伐採することなく立木を枯らす。【選択図】      図５
2009171892.tif 000002
【特許請求の範囲】
【請求項１】
立木にセットされた高周波放射器より高周波電力を与え、立木表面の一部を変質さすことによって、立木を枯らす、高周波間伐機
【請求項２】
上記第１項記載の高周波間伐機において、発生する高周波発電機の周波数が、１０ＭＨｚから３００ＧＨｚまでの高周波及びマイクロ波領域であることを特徴とする高周波間伐機
【請求項３】
上記第１項記載の高周波間伐機において、高周波電力が可搬式の内燃機関により発電されることを特徴とする自動間伐機
【請求項４】
上記第１項記載の高周波間伐機において、該高周波間伐機の内燃機関、発電部分が、ラック上に固定されており、該ラックを地面に固定乃至は該ラックを背負いながら、高周波間伐機を操作することができる機能を有することを特徴とする高周波間伐機
【発明の詳細な説明】
【技術分野】
【０００１】
本発明は、林野において、必要以上に植樹されている樹木を高効率で、間引くために使用する間伐機を提供する。
【背景技術】
【０００２】
従来最も一般的な間伐法は、チエン鎗によって、樹木の根元付近を切断し、安全のため切除した樹木は必ず、樹頭を着地させ、倒し切って次の木を除切する方法で実行してきた。チエン鎗での樹木切断は、比較的短時間で作業ができるが、間伐を要とする林では、樹木が乱立しており、樹木の枝が相互に絡んでおり、樹木を切断しても、樹頭着地は大変であり、長時間を要し、結果として間伐の能率は低かった。
【０００３】
また従来樹皮を剥ぎ取る間伐方法も行われてきたが、樹木はぎ取りの、専用機械がなく、鉈や、鎌などではぎ取っていた。これでは樹木を枯らすには至らなかった。樹木を枯らすには、樹皮を樹木から剥ぎ取るだけでなく更に、樹皮下の樹木表層（木質層）を削り取らないと、樹木は、枯れない場合が多かった。立枯らしには、数１０ｃｍほど剥ぎ取る必要がある。そのためには、１本の樹木のはぎ取りに長時間を要した。木の表面に溝を穿つ方法としては、大工道具として、溝掘り機１）があるが山林で作業する機能はない。
【０００４】
【非特許文献１】「日立電動工具」２００７年５月号  ｐ１１４
【発明の開示】
【発明が解決しようとする課題】
【０００５】
従って、本発明の高周波間伐機は、該間伐機の樹木表面高周波放射器部分で、高周波を樹表に印加するだけで、樹木表面にダメージを与え、樹木を枯渇させる高周波間伐機を用いれば、容易で、短時間に間伐作業のできるものである。
【課題を解決するための手段】
【０００６】
山野に運搬できる小型発電機で、高周波電力を発生させ、樹木に巻きつけた高周波出力コイルまたは同波路に、高周波発電機より、発生した、高周波電力を供給し、コイル又は同波路の当たっている場所を高温化し、樹木表面を高温にして樹皮下、木質層をも死に至らしめることによって間伐を容易に、短時間で、行うことのできる高周波間伐機を提供するものである。
【発明の効果】
【０００７】
本発明の高周波間伐機によって高効率で、人造林の間伐が大幅に、促進されるようになった。
【発明を実施するための最良の形態】
【０００８】
急傾斜面で伐採困難な立木でも、間伐に供したい立木を、安全、高速で、間伐作業が実現できるようになった。
【実施例１】
【０００９】
図１は本発明の、立木１に高周波を印加する部分を示した図である。Ａは立木１に高
周波電力（以下ＲＦパワー）を供給するコイル部分の全体を示す。高周波発生機Ｇで発生されたＲＦパワーは同軸ケーブル２より入力され、Ａに入る。ＡにはＲＦパワー通電パイロットランプ４がある。Ａの端面から、同軸２の心線と接合して５の線が出ている。
【００１０】
この５は、銅の細線で撚った幅１０ｍｍ程度の可尭性に富んだ全長は約１ｍの帯線で、立木１を６，７の順に２回巻きして８に至る。８にはこの帯線７を通せる穴があって、穴を通した後、７に折り返して、留め金具９で７と端子を止める。１０は同軸ケーブルのアース側端子である。１５はＡの中央部より出ている先端にかぎの付いた小さな鎖で、この鎖を立木に巻きつけ、Ａを立木に安定さす部品である。
図２はＡの部品を横から見た図面である。１〜８までは図１で示したとおりである
。１２は１３を支点として回転でき、Ａを立木１に固定する支柱である。
【００１１】
図３はより高級なタイプの例である。図１では、伝送されるＲＦパワーの状態は、
同軸２に送られる手前で、整合器により、反射ＲＦパワー最小条件で決めていた。しかるに実際は、ＲＦパワー付加コイルの直前で、さらにＲＦパワーの整合を最適にするのが好ましい。
【００１２】
ＲＦ発電機からのＲＦパワーは、同軸ケーブル２０を経て、Ａに入る。コイル２５の端子電極と同軸ケーブル２０との間には、高周波用、ＬとＣの素子の組み合わせによる、整合器が付いている。Ａ上には、ＲＦパワーの入力および反射を示す２つのメーターが付いており、２１，２２のつまみによって、可変Ｃ，Ｌの値を変えながら、ＲＦパワーの最適投入状況を作る。図１の場合と同様、２５端子から銅製の細線で編んだはば１０ｍｍ程の柔らかい銅線帯でできている帯を２７、２８及び２９と立木１に２回巻きその端を、３０の部品上の穴に通し、２６でかしめて止める。３３はＡを立木１に巻きつけＡを安定させる鎖である。
【００１３】
なお整合器を最適条件にするためには、反射波を測定し、この値を最小にするべく、Ｌ，Ｃ素子値を自動調整することも可能である。
【００１４】
図４は、ラックＥである。下端に内燃機関Ｂ、内燃機関駆動の高周波発電機Ｇが、
中段にガソリンタンク台Ｃが、上段にはＲＦ印加コイル、および小道具を納める収納庫Ｄがある。４０はラックのフレーム、４１は先端にカギがくっついていて、ラックのフレーム上段に一端は固定されており、林内で、ラックを安定するためのカギ付きロープまたは鎖、４２は背負い帯びである。高周波発電機の発電容量は約１ｋｗである。発電されたＲＦパワーは、ＲＦパワー整合器で整合され、４６の同軸ケーブル経て、ＲＦ出力コイルＡに繋がっている。内燃機関の状態は、４３のパネル上で見ることができ、ＲＦパワーＯＮ，ＯＦＦ機能スイッチ４４、パワー出力４５調整を、さらに内燃機関の側面のパネル４７には、エンジンＯＮ，ＯＦＦスイッチ４８、ガソリン残量メーター４９、パワー調製器５０が付いている。高周波がマイクロ波の場合には、マグネトロン等で発生した高周波が、同波管型の導電体４６を通ってＦに供給される場合と他の場合には、発電機Ｇでは直流電力のみを発電し、Ｆに導かれたのち、ここにある、マグネトロン等で、マイクロ波を発生させる場合がある。
【００１５】
図５はマイクロ波を用いる誘電加熱型の、高周波間伐機である。５０はマイクロ波
を伝える導波路である。Ｆはマイクロ波の整合器で、自動調整の機能を備え、負荷によって異なる反射波の値を検知して、反射パワーが最小になる様に素子の値を最適状況に自動調整する。Ｆ上にある、５１は高周波パワーの、ＯＮ,ＯＦＦスイチで、５２は高周波パワーを調整するダイアルである。５３は高周波パワーの表示パイロットランプ、５４は高周波パワーのパワーメーターである。整合のとれた高周波パワーは、整合器Ｆの端５５から可尭性のある長さ約６０ｃｍ程の同波路５６へと導かれる。この５６は立木１を一周して、端５７まで立木に巻きつけている。１周した端点は、部品５８で図に示すように、同波同士を固定する。３３は図３に示しとものと同じ機能である。
【００１６】
図５は、図４で示した発電機Ｇでマイクロ波を発生する機能の場合を示した。この方法
の他、図４の発電機で、直流発電し、図５のＦで、マグネトロン等でマイクロ波を発生、整合器を通して、負荷用マイクロ波同波路に導入する方法もある。この場合、Ｆの重さは増加するが、機能としては優れたものとなる。
適用例１
【００１７】
１）高周波間伐機を用いて、間伐作業を実施するには、ラックを間伐したい立木の近くに据え、ラックを４１の紐または鎖を用いて、樹木にかけ、安定する。
２）ＲＦコイルＡをラックＥの収納ケースＤより取り出す。
３）ＲＦコイルＡの鎖で立木に縛り付ける。
４）Ａの銅製帯で立木を２回巻き、その端子を電極の穴に通し、折り曲げて固定金具で締め付ける。
５）ＡとＲＦ発電器間の同軸ケーブルの接続を確認する。
６）ＲＦパワー調製器の出力が最小になっていることを確認する。
７）発電機のスイッチを入れ、ＲＦパワーの通電を開始をする。
８）ＲＦ発電機側の整合器を調整し、反射パワーが最小になるよう整合器を調整する。
９）ＲＦパワーを上げ、１ｋｗほどにする。
１０）３分間ＲＦパワーをかけ、ＲＦパワーを最小にして、ＲＦパワースイッチを切る。１１）上記の逆の手順で装置を取り外し、作業は終了する。
【産業上の利用可能性】
【００１８】
今日特に問題視されている、人工林で、いまだに間伐の遅れている山林に対し、本発明の高周波間伐機を用いることによって、高効率な間伐が実施でき、人工林のＣＯ２吸収を増大できる。
【図面の簡単な説明】
【００１９】
【図１】高周波間伐機のＲＦコイルを立木にセットした図
【図２】図１の側面図
【図３】高性能高周波間伐機のＲＦコイルを立木にセットした図
【図４】ラック付き内燃機関による発電機の図
【図５】マイクロ波誘電加熱型間伐機の誘電加熱部分の図
【符号の説明】
【００２０】
１  立木
２  同軸ケーブル
４  通電パイロットランプ    
５  同軸ケーブル  
６  同軸ケーブル  
７  同軸ケーブル  
８  固定金具の穴  
９  留め金具  
１０  同軸ケーブルのアース端子  
１１  高周波端子  
１２  支柱  
１３  コイル端通穴  
１４  支点  
１５  かぎ付鎖  
２０  同軸ケーブ  
２１  可変Ｃ端子  
２２  可変Ｌ端子  
２５  ルコイル端子    
２６  銅線帯  
２７  銅線帯  
２８  銅線帯  
２９  部品穴  
３０  Ａの部分
３１  Ａの部品  
３３  安定用鎖    
４０  ラックフレーム  
４１  カギ付き鎖  
４２  背負い帯  
４３  パネル  
４４  ＲＦパワーＯＮ，ＯＦＦスイッチ、
４５  パワー出力調整つまみ  
４６  同軸ケーブル  
４７  パネル  
４８  エンジンＯＮ，ＯＦＦスイッチ  
４９  ガソリン残量メーター    
５０  マイクロ波導波路  
５１  ＯＮ,ＯＦＦスイチ  
５２  調整ダイアル  
５３  表示パイロットランプ  
５４  高周波パワーメーター    
５５  マイクロは導波路端子
５６  同波路  
５７  同波路端部品  
５８  同波固定部品
Ａ  コイル部分の全体  
Ｂ  内燃機関  
Ｃ  ガソリンタンク台  
Ｄ  高周波印加部品格納箱  
Ｅ  ラック  
Ｆ  整合器  
Ｇ  高周波発生機    
【図１】
2009171892.tif 000003
【図２】
2009171892.tif 000004
【図３】
2009171892.tif 000005
【図４】
2009171892.tif 000006
【図５】
2009171892.tif 000007